(57)【要約】  空調冷熱機器管理装置は、空調冷熱機器の故障を通知する通知情報の送信先の決定に用いる制御情報が入力されて、制御情報の設定を行う設定入力部と、設定入力部で設定された制御情報を記憶する記憶部と、空調冷熱機器から故障の情報を受信するとともに、故障を通知する通知情報を送信する通信部と、通信部が受信した故障の情報に基づいた故障レベルに応じて、制御情報に従って通知情報の送信先を決定する送信先決定部とを備え、通信部は、空調冷熱機器から故障の情報を受信したときに、送信先決定部が決定した送信先に対して通知情報を送信する。
2020245933.tif 000002
【特許請求の範囲】
【請求項１】
空調冷熱機器の故障を通知する通知情報の送信先の決定に用いる制御情報が入力されて、前記制御情報の設定を行う設定入力部と、
前記設定入力部で設定された前記制御情報を記憶する記憶部と、
前記空調冷熱機器から故障の情報を受信するとともに、前記故障を通知する前記通知情報を送信する通信部と、
前記通信部が受信した前記故障の情報に基づいた故障レベルに応じて、前記制御情報に従って前記通知情報の前記送信先を決定する送信先決定部と
を備え、
前記通信部は、前記空調冷熱機器から前記故障の情報を受信したときに、前記送信先決定部が決定した前記送信先に対して前記通知情報を送信する、
空調冷熱機器管理装置。
【請求項２】
前記制御情報は、前記故障の故障レベルと前記通知情報の送信先との対応関係を定めた第１制御情報である、
請求項１に記載の空調冷熱機器管理装置。
【請求項３】
前記制御情報は、前記故障の種別と前記故障の故障レベルとの対応関係を定めた第２制御情報を含み、
前記通信部は、前記第２制御情報を前記空調冷熱機器に送信し、前記空調冷熱機器から前記第２制御情報に基づいて送信される故障レベルを含む前記故障の情報を受信し、
前記送信先決定部は、前記通信部が受信した前記空調冷熱機器からの前記故障レベルに基づいて、前記第１制御情報に従って、前記通知情報の送信先を決定する、
請求項２に記載の空調冷熱機器管理装置。
【請求項４】
前記制御情報は、前記故障の種別と前記故障の故障レベルとの対応関係を定めた第２制御情報を含み、
前記通信部は、故障の種別を含む前記故障の情報を前記空調冷熱機器から受信し、
前記送信先決定部は、前記通信部が受信した前記空調冷熱機器からの前記故障の種別に基づいて、前記記憶部に記憶された前記第２制御情報を用いて、前記故障の故障レベルを決定し、決定した前記故障レベルに基づいて、前記記憶部に記憶された前記第１制御情報を用いて、前記通知情報の送信先を決定する、
請求項２に記載の空調冷熱機器管理装置。
【請求項５】
前記設定入力部は、
前記第２制御情報の前記故障レベルを、前記故障の種別ごとに変更する変更入力を受け付けて、前記変更入力に基づいて、前記第２制御情報の前記故障レベルを更新する、
請求項３または４に記載の空調冷熱機器管理装置。
【請求項６】
前記空調冷熱機器の台数は２以上であり、
前記第２制御情報は、前記空調冷熱機器ごとに設けられており、
前記設定入力部は、
前記第２制御情報の前記故障レベルを、前記空調冷熱機器ごとに、且つ、前記故障の種別ごとに変更する変更入力を受け付けて、前記変更入力に基づいて、前記記憶部に記憶された前記第２制御情報の前記故障レベルを更新する、
請求項３または４に記載の空調冷熱機器管理装置。
【請求項７】
前記空調冷熱機器の台数は２以上であり、
前記第１制御情報は、前記空調冷熱機器ごとに設けられており、
前記設定入力部は、
前記第１制御情報の前記通知情報の送信先を、前記空調冷熱機器ごとに、且つ、故障レベルごとに変更する変更入力を受け付けて、前記変更入力に基づいて、前記記憶部に記憶された前記第１制御情報の前記通知情報の送信先を更新する、
請求項２〜５のいずれか１項に記載の空調冷熱機器管理装置。
【請求項８】
前記空調冷熱機器の台数は２以上であり、
前記空調冷熱機器は、２以上のグループにグループ分けされており、
前記第１制御情報は、前記空調冷熱機器のグループごとに設けられており、
前記設定入力部は、
前記第１制御情報の前記通知情報の送信先を、前記空調冷熱機器のグループごとに、且つ、故障レベルごとに変更する変更入力を受け付けて、前記変更入力に基づいて、前記記憶部に記憶された前記第１制御情報の前記通知情報の送信先を更新する、
請求項２〜５のいずれか１項に記載の空調冷熱機器管理装置。
【発明の詳細な説明】
【技術分野】
【０００１】
本発明は、空調冷熱機器を管理する空調冷熱機器管理装置に関するものである。
【背景技術】
【０００２】
一般に、建物に設置された機器で故障が発生した場合、速やかに、当該故障を通知することが求められる。その際の通知方法として、予め登録された利用者の情報端末に対して情報を送信して通知する方法がある（例えば、特許文献１参照）。【０００３】
特許文献１に記載の情報通知装置は、建物に設置された機器に故障が発生した場合に、当該機器が設置された設置エリアに存在する利用者に対して退避を呼びかけるために、当該利用者の情報端末に情報を送信する。
【先行技術文献】
【特許文献】
【０００４】
【特許文献１】特開２０１７−６３３８２号公報
【発明の概要】
【発明が解決しようとする課題】
【０００５】
特許文献１に記載の情報通知装置では、機器の故障の重要度を示す故障レベルを加味せずに、機器に発生した故障の全てについて、当該機器の設置エリアに存在する利用者の情報端末に対してメールが送信される。従って、軽微な異常についても情報端末にメールが送信されるので、各情報端末におけるメールの受信数が多くなる。その結果、故障の重要度が高いにもかかわらず、利用者が、当該故障の通知メールを見落とす可能性がある。また、利用者のメール確認の作業負荷が大きくなる。【０００６】
この発明は、かかる課題を解決するためになされたものであり、利用者にとって必要な故障レベルの故障のみを通知することが可能な空調冷熱機器管理装置を提供することである。
【課題を解決するための手段】
【０００７】
本発明に係る空調冷熱機器管理装置は、空調冷熱機器の故障を通知する通知情報の送信先の決定に用いる制御情報が入力されて、前記制御情報の設定を行う設定入力部と、前記設定入力部で設定された前記制御情報を記憶する記憶部と、前記空調冷熱機器から故障の情報を受信するとともに、前記故障を通知する前記通知情報を送信する通信部と、前記通信部が受信した前記故障の情報に基づいた故障レベルに応じて、前記制御情報に従って前記通知情報の前記送信先を決定する送信先決定部とを備え、前記通信部は、前記空調冷熱機器から前記故障の情報を受信したときに、前記送信先決定部が決定した前記送信先に対して前記通知情報を送信する。
【発明の効果】
【０００８】
本発明の空調冷熱機器管理装置によれば、利用者にとって必要な故障レベルの故障のみを通知することができる。
【図面の簡単な説明】
【０００９】
【図１】実施の形態１に係る空調冷熱機器管理装置が設けられた管理システムの構成の一例を示す構成図である。
【図２】実施の形態１に係る空調冷熱機器管理装置の内部構成を示すブロック図である。
【図３】実施の形態１に係る空調冷熱機器管理装置の設定入力部によって設定される第１制御情報が格納された第１データテーブルの一例を示す図である。
【図４】実施の形態１に係る空調冷熱機器管理装置の設定入力部によって設定される第２制御情報が格納された第２データテーブルの一例を示す図である。
【図５】実施の形態１に係る空調冷熱機器管理装置におけるレベル１の故障発生時の処理の流れを示すタイミングチャートである。
【図６】実施の形態１に係る空調冷熱機器管理装置におけるレベル４の故障発生時の処理の流れを示すタイミングチャートである。
【図７】実施の形態１に係る空調冷熱機器管理装置に設けられた表示部に表示される故障レベルの変更を行うときの入力画面の一例を示す図である。
【図８】実施の形態１に係る空調冷熱機器管理装置に設けられた表示部に表示される故障レベルの変更を行うときの入力画面の一例を示す図である。
【図９】実施の形態２に係る空調冷熱機器管理装置が設けられた管理システムの構成の一例を示す構成図である。
【図１０】実施の形態２に係る空調冷熱機器管理装置の設定入力部によって設定される第１制御情報が格納された第１データテーブルの一例を示す図である。
【図１１】実施の形態２に係る空調冷熱機器管理装置の設定入力部によって設定される第２制御情報が格納された第２データテーブルの一例を示す図である。
【発明を実施するための形態】
【００１０】
以下、本発明に係る空調冷熱機器管理装置を建物に設置した空調冷熱機器の管理に適用させた場合の実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、図面に示す管理システムは、本発明の空調冷熱機器管理装置が適用されるシステムの一例を示すものであり、図面に示された空調冷熱機器管理装置および管理システムによって本発明の空調冷熱機器管理装置が限定されるものではない。また、各図において、同一の符号を付したものは、同一の又はこれに相当するものであり、これは明細書の全文において共通している。なお、各図面では、各構成部材の相対的な寸法関係又は形状等が実際のものとは異なる場合がある。
【００１１】
実施の形態１．
以下、図面を用いて、実施の形態１に係る空調冷熱機器管理装置について説明する。
【００１２】
［管理システムの構成］
図１は、本実施の形態１に係る空調冷熱機器管理装置が設けられた管理システムの構成の一例を示す構成図である。図１に示すように、本実施の形態１に係る管理システムは、空調冷熱機器管理装置１Ａと、空調冷熱機器２Ａ、２Ｂと、第１の情報端末５Ａと、第２の情報端末６Ａと、第３の情報端末７とを備えている。空調冷熱機器２Ａ、２Ｂは、空調冷熱機器管理装置１Ａの管理対象となる機器である。
【００１３】
図１に示すように、空調冷熱機器管理装置１Ａと、空調冷熱機器２Ａ、２Ｂと、第１の情報端末５Ａとは、建物Ａ内に設置されている。第１の情報端末５Ａは、建物Ａの管理者によって使用される情報端末である。空調冷熱機器２Ａ、２Ｂは、冷房および暖房の両方を行う空気調和装置、冷房のみを行う空気調和装置、送風機、除湿機などである。空調冷熱機器２Ａは記憶装置２０Ａを有し、空調冷熱機器２Ｂは記憶装置２０Ｂを有している。なお、ここでは、第１の情報端末５Ａを固定端末として説明しているが、第１の情報端末５Ａは、建物Ａの管理者が携帯する携帯端末であってもよい。
【００１４】
第２の情報端末６Ａおよび第３の情報端末７は、空調冷熱機器２Ａ、２Ｂのメンテナンスを行うメンテナンス業者の事務所内に設置されている。第２の情報端末６Ａは、メンテナンス業者の建物Ａの担当者によって使用される。第３の情報端末７は、メンテナンス業者の責任者によって使用される。ここでは、第２の情報端末６Ａを固定端末として説明しているが、第２の情報端末６Ａは、メンテナンス業者の建物Ａの担当者が携帯する携帯端末であってもよい。同様に、ここでは、第３の情報端末７を固定端末として説明しているが、第３の情報端末７は、メンテナンス業者の責任者が携帯する携帯端末であってもよい。
【００１５】
空調冷熱機器管理装置１Ａは、通信線３Ａを介して、空調冷熱機器２Ａ、２Ｂに接続されている。通信線３Ａは、建物Ａ内に設置されている。また、空調冷熱機器管理装置１Ａは、ネットワーク４を介して、第１の情報端末５Ａ、第２の情報端末６Ａ、および、第３の情報端末７に接続されている。ネットワーク４は、インターネットなどの情報通信網であってもよく、あるいは、建物Ａとメンテナンス業者との間に設けられた専用のネットワークであってもよい。
【００１６】
空調冷熱機器管理装置１Ａは、空調冷熱機器２Ａまたは空調冷熱機器２Ｂで故障が発生した場合に、当該故障を通知する通知情報を、故障レベルに応じて、第１の情報端末５Ａ、第２の情報端末６Ａ、および、第３の情報端末７のうちの少なくともいずれか１つに送信する。
【００１７】
なお、空調冷熱機器２Ａ、２Ｂの台数はここでは２台としたが、これに限られたものではなく、任意の台数としてよい。また、情報端末として、ここでは、第１〜第３の情報端末５Ａ、６Ａ、７を例に挙げている。従って、情報端末の台数は３台としているが、これに限られたものではなく、任意の台数としてよい。
【００１８】
［空調冷熱機器管理装置の構成］
図２は、本実施の形態１に係る空調冷熱機器管理装置１Ａの内部構成を示すブロック図である。図２に示すように、空調冷熱機器管理装置１Ａは、設定入力部１０１と、記憶部１０２と、通信部１０３と、送信先決定部１０４と、表示部１０５とを備えている。
【００１９】
設定入力部１０１は、外部からの信号を受信するインターフェースとして機能する。設定入力部１０１は、利用者によって制御情報が入力され、当該制御情報の設定を行う。制御情報は、空調冷熱機器管理装置１Ａが制御を行うときに使用する情報である。空調冷熱機器管理装置１Ａは、制御情報を用いて、空調冷熱機器２Ａ、２Ｂの故障を通知する通知情報の送信先を決定する。制御情報は、第１制御情報と第２の制御情報とを含む。第１制御情報は、故障レベルと通知情報の送信先との対応関係を定めた情報である。通知情報の送信先は、メールアドレス、電話番号、ＳＮＳのアカウントなどである。通知情報の送信先が電話番号の場合は、通知情報はショートメールで送信される。第２制御情報は、故障の種別と故障レベルとの対応関係を定めた情報である。設定入力部１０１は、マウス、キーボードなどの入力機器と、入力機器によって入力されたデータの受信処理を行う受信処理回路とを有する受信装置を備えている。
【００２０】
記憶部１０２は、設定入力部１０１で設定された制御情報を記憶する。記憶部１０２は、メモリなどの記憶装置を有している。
【００２１】
通信部１０３は、空調冷熱機器管理装置１Ａとネットワーク４との間の通信、および、空調冷熱機器管理装置１Ａと空調冷熱機器２Ａ、２Ｂとの間の通信を行うインターフェースとして機能する。通信部１０３は、空調冷熱機器２Ａで故障が発生した場合に、空調冷熱機器２Ａから通信線３Ａを介して当該故障の情報を受信する。同様に、通信部１０３は、空調冷熱機器２Ｂで故障が発生した場合に、空調冷熱機器２Ｂから通信線３Ａを介して当該故障の情報を受信する。また、通信部１０３は、後述する送信先決定部１０４で決定された送信先に対して、ネットワーク４を介して、通知情報を送信する。
【００２２】
送信先決定部１０４は、通信部１０３が受信した空調冷熱機器２Ａ、２Ｂからの故障の情報に基づく故障レベルに応じて、記憶部１０２に記憶された制御情報に従って、当該故障を通知する通知情報の送信先を決定する。通知情報の送信先は、制御情報に従って、第１の情報端末５Ａ、第２の情報端末６Ａ、および、第３の情報端末７の中から決定される。
【００２３】
表示部１０５は、記憶部１０２に記憶された空調冷熱機器管理装置１Ａの制御情報を表示する。表示部１０５は、ディスプレイなどの表示装置を有している。
【００２４】
［空調冷熱機器管理装置の動作］
次に、本実施の形態１に係る空調冷熱機器管理装置１Ａの動作について説明する。
【００２５】
［制御情報の設定］
以下、図３および図４を用いて、設定入力部１０１における制御情報の設定動作について説明する。当該設定動作における制御情報の設定は、初期設定となる。
【００２６】
図３は、本実施の形態１に係る空調冷熱機器管理装置１Ａの設定入力部１０１によって設定される第１制御情報が格納された第１データテーブル５０Ａの一例を示す図である。第１制御情報は、上述したように、故障レベルと通知情報の送信先との対応関係を定めている。従って、図３に示すように、第１データテーブル５０Ａは、第１制御情報として、故障レベルと通知情報の送信先とを対応付けて格納している。なお、第１データテーブル５０Ａの故障レベルにおいて、レベル１が最も軽微な故障を意味し、レベルの数値が高くなるほど、故障の重要度が高くなる。ここでは、レベルの段階の個数が４で、レベル４が最も高いレベルとなっているが、これに限定されず、レベルの段階の個数は、任意の個数であってよい。また、図３に示す例では、故障レベルがレベル４の場合の通知情報の送信先として、第２の情報端末６Ａ、第３の情報端末７、および、第１の情報端末５Ａが設定されている。また、故障レベルがレベル１〜３の場合の通知情報の送信先として、第２の情報端末６Ａが設定されている。第１データテーブル５０Ａは、記憶部１０２に格納される。
【００２７】
図４は、本実施の形態１に係る空調冷熱機器管理装置１Ａの設定入力部１０１によって設定される第２制御情報が格納された第２データテーブル６０の一例を示す図である。第２制御情報は、上述したように、故障の種別ごとと故障レベルとの対応関係を定めている。従って、図４に示すように、第２データテーブル６０は、第２制御情報として、故障の種別を示す故障名称情報と当該故障の故障レベルとを対応付けて格納している。図４の例では、故障の種別の例として、「通信異常」、「室内湿度センサー異常」、「室内温度センサー異常」、「室内湿度異常」、「室内温度異常」などが挙げられている。第２データテーブル６０は、空調冷熱機器２Ａ、２Ｂのそれぞれに対して、別々に設けられている。以下では、空調冷熱機器２Ａに対する第２データテーブル６０を第２データテーブル６０Ａと呼び、空調冷熱機器２Ｂに対する第２データテーブル６０を第２データテーブル６０Ｂと呼ぶこととする。第２データテーブル６０Ａおよび第２データテーブル６０Ｂは、記憶部１０２に記憶される。なお、ここでは、第２データテーブル６０を空調冷熱機器２Ａ、２Ｂのそれぞれに対して別々に設けると説明したが、その場合に限らず、空調冷熱機器２Ａ、２Ｂのそれぞれに対して共通の１つの第２データテーブル６０を設けるようにしてもよい。
【００２８】
また、第２データテーブル６０Ａは、通信線３Ａを介して、空調冷熱機器管理装置１Ａの通信部１０３から、空調冷熱機器２Ａに送信される。空調冷熱機器２Ａは、図１に示すように、内部に記憶装置２０Ａを有している。空調冷熱機器２Ａは、受信した第２データテーブル６０Ａを、記憶装置２０Ａに格納する。同様に、第２データテーブル６０Ｂは、通信線３Ａを介して、空調冷熱機器管理装置１Ａの通信部１０３から、空調冷熱機器２Ｂに送信される。空調冷熱機器２Ｂは、図１に示すように、内部に記憶装置２０Ｂを有している。空調冷熱機器２Ｂは、受信した第２データテーブル６０Ｂを、当該記憶装置２０Ｂに格納する。
【００２９】
図４の例では、第２データテーブル６０Ａ、６０Ｂにおいて、「室内温度異常」がレベル４であり、「室内湿度異常」がレベル３であり、「室内温度センサー異常」および「室内湿度センサー異常」がレベル２であり、「通信異常」がレベル１となっている。
【００３０】
第１制御情報および第２制御情報の設定を行う場合には、まず、利用者は、設定入力部１０１に対して予め設定された操作を行って、第１制御情報を入力するための入力画面を表示部１０５に表示させる。当該入力画面は、例えば図３に示した第１データテーブル５０Ａと同様に表形式で表示される。次に、利用者は、当該入力画面を用いて、設定入力部１０１に対して第１制御情報を入力する。これにより、図３に示す第１データテーブル５０Ａに対して、故障レベルごとに、通知情報を送信する送信先が設定される。また、利用者は、設定入力部１０１に対して予め設定された操作を行って、第２制御情報を入力するための入力画面を表示部１０５に表示させる。当該入力画面は、例えば図４に示した第２データテーブル６０Ａおよび６０Ｂと同様に表形式で表示される。次に、利用者は、当該入力画面を用いて、設定入力部１０１に対して第２制御情報を入力する。この操作を、利用者は、第２データテーブル６０Ａ、６０Ｂのそれぞれに対して行う。これにより、図４に示す第２データテーブル６０Ａ、６０Ｂのそれぞれに対して、故障の種別ごとに故障レベルが設定される。なお、第２データテーブル６０Ａ、６０Ｂの故障レベルのレベル１〜４は、図３の故障レベルのレベル１〜４のそれぞれに対応している。なお、ここでの利用者は、空調冷熱機器管理装置１Ａの操作が許可された人であり、例えば、メンテナンス業者の責任者、メンテナンス業者の建物Ａの担当者、または、建物Ａの管理者である。
【００３１】
［レベル１の故障の発生時の動作］
故障レベルがレベル１の故障が発生したときの動作について図５を参照して説明する。図５は、本実施の形態１に係る空調冷熱機器管理装置１Ａにおけるレベル１の故障発生時の処理の流れを示すタイミングチャートである。
【００３２】
図５に示すように、ステップＳ１で、空調冷熱機器２Ａにおいて、「通信異常」の故障が発生したとする。
【００３３】
このとき、ステップＳ２では、空調冷熱機器２Ａは、各種センサーからの検知信号または空調冷熱機器２Ａの各部からの検知信号に基づいて、故障の種別を求める。各種センサーは、空調冷熱機器２Ａの本体内、空調冷熱機器２Ａのリモコン内、通信線３Ａ、および、建物Ａ内などに設置されている。ここでは、「通信異常」の故障が発生しているため、空調冷熱機器２Ａは、故障の種別を「通信異常」に決定する。次に、空調冷熱機器２Ａは、記憶装置２０Ａに格納された第２データテーブル６０Ａを参照して、当該故障の種別に応じて、故障レベルを決定する。いま、「通信異常」の故障が発生しているため、空調冷熱機器２Ａは、第２データテーブル６０Ａを参照して、故障レベルをレベル１と決定する。
【００３４】
次に、ステップＳ３では、空調冷熱機器２Ａが、空調冷熱機器管理装置１Ａに対して、通信線３Ａを介して、故障レベルがレベル１の故障が発生したことを通知する信号を送信する。このとき、空調冷熱機器２Ａは、故障の発生機器が特定できるように、自身の識別情報を付加して当該信号を送信する。
【００３５】
次に、ステップＳ４では、空調冷熱機器管理装置１Ａの通信部１０３が、空調冷熱機器２Ａから、故障レベルがレベル１の故障が発生したことを通知する信号を受信する。空調冷熱機器管理装置１Ａの送信先決定部１０４は、通信部１０３が受信した信号の故障レベルに基づいて、記憶部１０２に格納された第１データテーブル５０Ａを参照することで、当該故障レベルに応じた通知情報の送信先を決定する。いま、故障レベルがレベル１であるため、空調冷熱機器管理装置１Ａは、第１データテーブル５０Ａを参照して、通知情報の送信先を、第２の情報端末６Ａに決定する。
【００３６】
次に、ステップＳ５では、空調冷熱機器管理装置１Ａが、第２の情報端末６Ａに対して、ネットワーク４を介して、空調冷熱機器２Ａにおいてレベル１の故障が発生したことを通知する通知情報を送信する。
【００３７】
なお、ここでは、空調冷熱機器２Ａにおいて故障が発生した場合の動作について説明したが、空調冷熱機器２Ｂにおいて故障が発生した場合についても同様の動作となるため、ここでは、その説明を省略する。
【００３８】
［レベル４の故障の発生時の動作］
故障レベルがレベル４の故障が発生したときの動作について図６を参照して説明する。図６は、本実施の形態１に係る空調冷熱機器管理装置１Ａにおけるレベル４の故障発生時の処理の流れを示すタイミングチャートである。
【００３９】
図６に示すように、ステップＳ６で、空調冷熱機器２Ａにおいて、「室内温度異常」の故障が発生したとする。
【００４０】
このとき、ステップＳ７では、空調冷熱機器２Ａは、各種センサーからの検知信号または空調冷熱機器２Ａの各部からの検知信号に基づいて、故障の種別を求める。ここでは、「通信異常」の故障が発生しているため、空調冷熱機器２Ａは、故障の種別を「室内温度異常」に決定する。次に、空調冷熱機器２Ａが、記憶装置２０Ａに格納された第２データテーブル６０Ａを参照することで、当該故障の故障内容に応じた故障レベルを決定する。いま、「室内温度異常」の故障が発生しているため、空調冷熱機器２Ａは、第２データテーブル６０Ａを参照して、故障レベルをレベル４と決定する。
【００４１】
次に、ステップＳ８では、空調冷熱機器２Ａが、空調冷熱機器管理装置１Ａに対して、通信線３Ａを介して、レベル４の故障が発生したことを通知する信号を送信する。このとき、空調冷熱機器２Ａは、故障の発生機器が特定できるように、自身の識別情報を付加して当該信号を送信する。
【００４２】
次に、ステップＳ９では、空調冷熱機器管理装置１Ａの通信部１０３が、空調冷熱機器２Ａから、故障レベルがレベル４の故障が発生したことを通知する信号を受信する。空調冷熱機器管理装置１Ａの送信先決定部１０４は、通信部１０３が受信した信号の故障レベルに基づいて、記憶部１０２に格納された第１データテーブル５０Ａを参照することで、当該故障レベルに応じた通知情報の送信先を決定する。いま、故障レベルがレベル４であるため、空調冷熱機器管理装置１Ａは、第１データテーブル５０Ａを参照して、通知情報の送信先を、第２の情報端末６Ａ、第３の情報端末７、および、第１の情報端末５Ａに決定する。
【００４３】
次に、ステップＳ１０では、空調冷熱機器管理装置１Ａが、第２の情報端末６Ａ、第３の情報端末７、および、第１の情報端末５Ａに対して、ネットワーク４を介して、空調冷熱機器２Ａにおいてレベル４の故障が発生したことを通知する通知情報を送信する。
【００４４】
なお、ここでは、空調冷熱機器２Ａにおいて故障が発生した場合の動作について説明したが、空調冷熱機器２Ｂにおいて故障が発生した場合についても同様の動作となるため、ここでは、その説明を省略する。
【００４５】
［故障ごとの故障レベルの変更］
次に、図７を用いて、第２データテーブル６０における故障レベルの変更動作について説明する。図７は、本実施の形態１に係る空調冷熱機器管理装置１Ａに設けられた表示部１０５に表示される故障レベルの変更を行うときの入力画面７０の一例を示す図である。
【００４６】
上述した初期設定により、第２データテーブル６０の故障レベルは予め設定されている。しかしながら、利用者は、空調冷熱機器管理装置１Ａの設定入力部１０１を用いて、各故障に対する故障レベルを任意に変更することができる。以下では、室内湿度異常の故障レベルを、レベル３からレベル４に変更する場合の動作を例に挙げて説明する。
【００４７】
利用者が、例えば室内湿度異常は重要度が高い異常であると判断した場合、利用者は、設定入力部１０１を操作して、表示部１０５に、図７に示す入力画面７０を表示させる。入力画面７０は、空調冷熱機器２Ａ、２Ｂに対して共通のもので、各第２データテーブル６０Ａ、６０Ｂの故障レベルを一度に変更できる。入力画面７０には、故障の種別ごとに、変更前の故障レベルが表示され、その横に、変更後の故障レベルを入力するための入力欄が表示されている。変更前の故障レベルが第２データテーブル６０Ａと６０Ｂとで異なっている場合には、それぞれの変更前の故障レベルが並べて表示されるか、あるいは、異なる旨のメッセージが表示される。利用者は、入力画面７０の「故障名称」の中から、故障レベルを変更したい故障を選択し、当該故障の変更後の故障レベルを入力画面７０の入力欄に入力する。いま、利用者は、「室内湿度異常」の故障レベルをレベル３からレベル４に変更したいため、入力画面７０の「故障名称」の中から、「室内湿度異常」を選択し、当該故障の入力欄に、「レベル４」を入力する。これにより、記憶部１０２に格納されている第２データテーブル６０Ａ、６０Ｂの故障レベルを変更することができる。なお、ここでの利用者は、空調冷熱機器管理装置１Ａの操作が許可された人であり、例えば、建物Ａの管理者である。
【００４８】
入力画面７０によって変更された変更内容は、空調冷熱機器管理装置１Ａの通信部１０３から、空調冷熱機器２Ａ、２Ｂに対して送信される。空調冷熱機器２Ａ、２Ｂは、受信した変更内容に基づいて、記憶装置２０Ａ、２０Ｂに記憶された第２データテーブル６０Ａ、６０Ｂの故障レベルをそれぞれ更新する。当該更新以降に、空調冷熱機器２Ａ、２Ｂに室内湿度異常が発生した場合は、故障レベルがレベル４として、空調冷熱機器２Ａ、２Ｂから空調冷熱機器管理装置１Ａに通知される。
【００４９】
このように、設定入力部１０１は、第２制御情報を格納した第２データテーブル６０Ａ、６０Ｂの故障レベルを、故障の種別ごとに変更する変更入力を受け付ける。また、設定入力部１０１は、当該変更入力に基づいて、第２データテーブル６０Ａ、６０Ｂの故障レベルを、故障の種別ごとに更新する。これにより、利用者が、各故障に対する故障レベルを変更することで、利用者が、通知情報を受信したい故障を任意で設定することができる。
【００５０】
［機器ごとの故障レベルの変更］
また、利用者は、空調冷熱機器管理装置１Ａの設定入力部１０１を用いて、空調冷熱機器２Ａ、２Ｂごとに、第２データテーブル６０Ｂの故障レベルを任意に変更することができる。図８は、本実施の形態１に係る空調冷熱機器管理装置１Ａに設けられた表示部１０５に表示される故障レベルの変更を行うときの入力画面７０Ｂの一例を示す図である。入力画面７０Ｂは、空調冷熱機器２Ｂに対して設けられたもので、第２データテーブル６０Ｂの故障レベルのみを変更することができる。
【００５１】
以下では、第２データテーブル６０Ｂの室内湿度異常および室内温度異常の故障レベルのそれぞれを、レベル２に変更する場合の動作を例に挙げて説明する。
【００５２】
利用者が、例えば空調冷熱機器２Ｂは重要度が低いと判断した場合、利用者は、設定入力部１０１を操作して、表示部１０５に、図８に示す入力画面７０Ｂを表示させる。入力画面７０Ｂは、上述したように、空調冷熱機器２Ｂに対して設けられたものである。入力画面７０Ｂには、故障ごとに、変更前の故障レベルが表示され、その横に、変更後の故障レベルを入力するための入力欄が表示されている。利用者は、入力画面７０Ｂの「故障名称」の中から、故障レベルを変更したい故障を選択し、当該故障の変更後の故障レベルを入力画面７０Ｂの入力欄に入力する。いま、利用者は、「室内湿度異常」の故障レベルをレベル３からレベル２に変更したいため、入力画面７０の「故障名称」の中から、「室内湿度異常」を選択し、当該故障の入力欄に、「レベル２」を入力する。さらに、利用者は、「室内温度異常」の故障レベルをレベル４からレベル２に変更したいため、入力画面７０Ｂの「故障名称」の中から、「室内温度異常」を選択し、当該故障の入力欄に、「レベル２」を入力する。これにより、記憶部１０２に格納されている第２データテーブル６０Ｂの故障レベルを変更することができる。
【００５３】
入力画面７０Ｂによって変更された変更内容は、空調冷熱機器管理装置１Ａの通信部１０３から、空調冷熱機器２Ｂに対して送信される。空調冷熱機器２Ｂは、受信した変更内容に基づいて、自身の記憶装置２０Ｂに記憶された第２データテーブル６０Ｂの故障レベルを更新する。当該更新以降に、空調冷熱機器２Ｂに室内湿度異常または室内温度異常が発生した場合は、それぞれ、故障レベルがレベル２として、空調冷熱機器２Ｂから空調冷熱機器管理装置１Ａに通知される。
【００５４】
なお、ここでは、第２データテーブル６０Ｂの故障レベルを変更する場合の動作について説明したが、第２データテーブル６０Ａの故障レベルを変更する場合についても同様の動作となるため、ここでは、その説明を省略する。
【００５５】
このように、設定入力部１０１は、第２制御情報を格納した第２データテーブル６０Ａ、６０Ｂのそれぞれの故障レベルを、空調冷熱機器２Ａ、２Ｂごとに、且つ、故障の種別ごとに変更する変更入力を受け付ける。また、設定入力部１０１は、当該変更入力に基づいて、第２データテーブル６０Ａ、６０Ｂのそれぞれの故障レベルを空調冷熱機器２Ａ、２Ｂごとに且つ故障の種別ごとに更新する。これにより、利用者は、空調冷熱機器２Ａ、２Ｂごとに、各故障に対する故障レベルを任意に変更することができ、利用者が、通知情報を受信したい空調冷熱機器２Ａ、２Ｂの故障を任意で設定することができる。
【００５６】
［実施の形態１のまとめ］
以上説明したように、本実施の形態１に係る空調冷熱機器管理装置１Ａによれば、利用者が、第１制御情報および第２制御情報を設定することで、故障レベルごとに通知情報の受信の要否を任意に決めることができる。そのため、利用者は、必要な故障レベルの故障のみを知ることができる。また、利用者は、空調冷熱機器ごとに、通知情報を受信したい故障の種別を任意で設定することができる。それにより、利用者にとって必要な種別の故障の通知情報だけが送信されるので、利用者が受信する通知情報の個数を低減することができる。その結果、利用者が、重要度の高い故障を通知する通知情報を見落とすことを防止することができる。さらに、利用者の通知情報の確認のための作業負荷を低減することができ、保守管理を容易にすることができる。また、利用者は、故障の種別ごとに故障レベルを変更することができるため、通知情報を受信したい故障の種別を任意で変更することができる。さらに、利用者は、空調冷熱機器ごとに、故障の種別ごとの故障レベルを任意に変更することができる。
【００５７】
実施の形態２．
以下、図面を用いて、実施の形態２に係る空調冷熱機器管理装置について説明する。
【００５８】
［管理システムの構成］
図９は、本実施の形態２に係る空調冷熱機器管理装置１Ａ、１Ｂが設けられた管理システムの構成の一例を示す構成図である。本実施の形態２と上述した実施の形態１との違いは、建物Ｂが追加された点と、それに伴い、第２の情報端末６Ｂが追加された点である。従って、図９に示すように、本実施の形態２に係る管理システムは、空調冷熱機器管理装置１Ａ、１Ｂと、空調冷熱機器２Ａ、２Ｂ、２Ｃ、２Ｄと、第１の情報端末５Ａ、５Ｂと、第２の情報端末６Ａ、６Ｂと、第３の情報端末７とを備えている。
【００５９】
本実施の形態２においても、実施の形態１と同様に、空調冷熱機器管理装置１Ａと、空調冷熱機器２Ａ、２Ｂと、第１の情報端末５Ａとは、建物Ａ内に設置されている。これらの装置については、実施の形態１と同じであるため、ここでは、その説明を省略する。
【００６０】
また、図１に示すように、空調冷熱機器管理装置１Ｂと、空調冷熱機器２Ｃ、２Ｄと、第１の情報端末５Ｂとは、建物Ｂ内に設置されている。第１の情報端末５Ｂは、建物Ｂの管理者によって使用される。空調冷熱機器２Ｃ、２Ｄは、冷房および暖房の両方を行う空気調和装置、冷房のみを行う空気調和装置、送風機、除湿機などである。空調冷熱機器２Ｃは記憶装置２０Ｃを有し、空調冷熱機器２Ｄは記憶装置２０Ｄを有している。ここでは、第１の情報端末５Ｂを固定端末として説明しているが、第１の情報端末５Ｂは、建物Ｂの管理者が携帯する携帯端末であってもよい。
【００６１】
第２の情報端末６Ａ、６Ｂおよび第３の情報端末７は、空調冷熱機器２Ａ〜２Ｄのメンテナンスを行うメンテナンス業者の事務所内に設置されている。第２の情報端末６Ａは、メンテナンス業者の建物Ａの担当者によって使用される。第２の情報端末６Ｂは、メンテナンス業者の建物Ｂの担当者によって使用される。第３の情報端末７は、メンテナンス業者の責任者によって使用される。ここでは、第２の情報端末６Ａおよび６Ｂを固定端末として説明しているが、第２の情報端末６Ａおよび６Ｂは、メンテナンス業者の建物Ａの担当者が携帯する携帯端末であってもよい。同様に、ここでは、第３の情報端末７を固定端末として説明しているが、第３の情報端末７は、メンテナンス業者の責任者が携帯する携帯端末であってもよい。
【００６２】
建物Ａ内の構成は、実施の形態１と同様である。すなわち、建物Ａ内において、空調冷熱機器管理装置１Ａは、通信線３Ａを介して、空調冷熱機器２Ａ、２Ｂに接続されている。通信線３Ａは、建物Ａ内に設置されている。また、空調冷熱機器管理装置１Ａは、ネットワーク４を介して、第１の情報端末５Ａ、５Ｂ、第２の情報端末６Ａ、６Ｂ、および、第３の情報端末７に接続されている。
【００６３】
次に、建物Ｂ内の構成について説明する。建物Ｂ内の構成は、建物Ａ内の構成と同様である。すなわち、建物Ｂ内において、空調冷熱機器管理装置１Ｂは、通信線３Ｂを介して、空調冷熱機器２Ｃ、２Ｄに接続されている。通信線３Ｂは、建物Ｂ内に設置されている。また、空調冷熱機器管理装置１Ｂは、ネットワーク４を介して、第１の情報端末５Ａ、５Ｂ、第２の情報端末６Ａ、６Ｂ、および、第３の情報端末７に接続されている。
【００６４】
ネットワーク４は、インターネットなどの情報通信網であってもよく、あるいは、建物Ａ、Ｂのそれぞれとメンテナンス業者との間に設けられた専用のネットワークであってもよい。
【００６５】
なお、空調冷熱機器２Ａ、２Ｂ、２Ｃ、２Ｄの台数はここでは４台としたが、これに限られたものではなく、任意の台数としてよい。また、情報端末として、ここでは、第１〜第３の情報端末５Ａ、５Ｂ、６Ａ、６Ｂ、７を例に挙げている。従って、情報端末の台数は５台としているが、これに限られたものではなく、任意の台数としてよい。さらに、建物として、建物Ａ、Ｂを例に挙げている。従って、建物の棟数は２棟としているが、これに限られたものではなく、任意の棟数としてよい。
【００６６】
本実施の形態２に係る管理システムの他の構成および動作は、実施の形態１と同じであるため、ここでは、説明を省略する。
【００６７】
［空調冷熱機器管理装置の動作］
次に、本実施の形態２に係る空調冷熱機器管理装置１Ｂの動作について説明する。
【００６８】
［制御情報の設定］
以下、図２、図１０、および、図１１を用いて、設定入力部１０１における空調冷熱機器管理装置１Ｂの制御情報の設定動作について説明する。本実施の形態２に係る空調冷熱機器管理装置１Ｂの内部構成は、上述した図２に示した空調冷熱機器管理装置１Ａと同じであるため、図２を参照することとし、ここでは、詳細な説明を省略する。
【００６９】
図１０は、本実施の形態２に係る空調冷熱機器管理装置１Ｂの設定入力部１０１によって設定される第１制御情報が格納された第１データテーブル５０Ｂの一例を示す図である。図１０に示すように、第１データテーブル５０Ｂは、第１制御情報として、故障レベルと通知情報の送信先とを対応付けて格納している。なお、第１データテーブル５０Ｂの故障レベルにおいて、レベル１が最も軽微な故障を意味し、レベルの数値が高くなるほど、故障の重要度が高くなる。故障レベルについては、実施の形態１と同じである。図１０に示す例では、故障レベルがレベル４の場合の通知情報の送信先として、第２の情報端末６Ａ、第３の情報端末７、および、第１の情報端末５Ａが設定されている。また、故障レベルがレベル３の場合の通知情報の送信先として、第２の情報端末６Ａ、および、第３の情報端末７が設定されている。また、故障レベルがレベル１およびレベル２の場合の通知情報の送信先として、第２の情報端末６Ａが設定されている。第１データテーブル５０Ｂは、空調冷熱機器管理装置１Ｂの記憶部１０２に格納される。
【００７０】
図１１は、本実施の形態２に係る空調冷熱機器管理装置１Ｂの設定入力部１０１によって設定される第２制御情報が格納された第２データテーブル６０の一例を示す図である。図１１に示すように、第２データテーブル６０は、第２制御情報として、故障の種別を示す故障名称情報と当該故障の故障レベルとを対応付けて格納している。第２データテーブル６０は、空調冷熱機器２Ｃ、２Ｄのそれぞれに対して、別々に設けられている。以下では、空調冷熱機器２Ｃに対する第２データテーブル６０を第２データテーブル６０Ｃと呼び、空調冷熱機器２Ｄに対する第２データテーブル６０を第２データテーブル６０Ｄと呼ぶこととする。第２データテーブル６０Ｃおよび第２データテーブル６０Ｄは、空調冷熱機器管理装置１Ｂの記憶部１０２に記憶される。また、第２データテーブル６０Ｃは、空調冷熱機器管理装置１Ｂの通信部１０３から、通信線３Ｂを介して、空調冷熱機器２Ｃに送信される。空調冷熱機器２Ｃは、図９に示すように、内部に記憶装置２０Ｃを有している。空調冷熱機器２Ｃは、受信した第２データテーブル６０Ｃを、記憶装置２０Ｃに格納する。同様に、第２データテーブル６０Ｄは、空調冷熱機器管理装置１Ｂの通信部１０３から、通信線３Ｂを介して、空調冷熱機器２Ｄに送信される。空調冷熱機器２Ｄは、図９に示すように、内部に記憶装置２０Ｄを有している。空調冷熱機器２Ｄは、受信した第２データテーブル６０Ｄを、当該記憶装置２０Ｄに格納する。
【００７１】
まず、空調冷熱機器管理装置１Ｂの利用者は、設定入力部１０１に対して第１制御情報を示すデータを入力することで、図１０に示す第１データテーブル５０Ｂに対して、故障レベルごとに、通知情報を送信する送信先を予め設定する。また、空調冷熱機器管理装置１Ｂの利用者は、設定入力部１０１に対して第２制御情報を入力することで、図１１に示す第２データテーブル６０Ｃ、６０Ｄに対して、空調冷熱機器２Ｃ、２Ｄごとに、各故障に対する故障レベルを設定する。なお、第２データテーブル６０Ｃ、６０Ｄの故障レベルのレベル１〜４は、図１０の故障レベルのレベル１〜４のそれぞれに対応している。なお、ここでの利用者は、空調冷熱機器管理装置１Ｂの操作が許可された人であり、例えば、建物Ｂの管理者である。
【００７２】
本実施の形態２における［レベル１の故障の発生時の動作］、［レベル４の故障の発生時の動作］、［故障ごとの故障レベルの変更］、および、［機器ごとの故障レベルの変更］のそれぞれの動作は、上述した実施の形態１と同じであるため、ここでは、その説明を省略する。
【００７３】
このように、本実施の形態２においては、建物Ａ、Ｂごとに、第１データテーブル５０Ａ、５０Ｂを設けることができる。そのため、建物の重要度に応じて、通知情報の受信の要否を利用者が任意で決めることができる。
【００７４】
なお、本実施の形態２においては、建物Ａ、Ｂごとに第１データテーブル５０Ａ、５０Ｂを設けて、建物Ａ、Ｂごとに、通知情報の送信先の変更が可能であると説明したが、その場合に限らない。すなわち、空調冷熱機器２Ａ〜２Ｄごとに第１データテーブル５０をそれぞれ設けて、空調冷熱機器２Ａ〜２Ｄごとに、通知情報の送信先の変更が可能であるようにしてもよい。
【００７５】
また、本実施の形態２では、建物Ａに設置された空調冷熱機器２Ａ、２Ｂを第１グループとし、建物Ｂに設置された空調冷熱機器２Ｃ、２Ｄを第２グループとしている。そして、第１グループに対して第１データテーブル５０Ａを設けて、第２グループに対して第１データテーブル５０Ｂを設けるとして説明した。しかしながら、本実施の形態２では、空調冷熱機器２Ａ〜２Ｄを、建物に関係なく、任意の組み合わせでグループ分けしてもよい。すなわち、例えば、建物Ａの空調冷熱機器２Ａと建物Ｂの空調冷熱機器２Ｃを第１グループとし、建物Ａの空調冷熱機器２Ｂと建物Ｂの空調冷熱機器２Ｄを第２グループとしてもよい。あるいは、空調冷熱機器２Ａ、２Ｂ、２Ｃを第１グループとし、空調冷熱機器２Ｄを第２グループとしてもよい。
【００７６】
このように、本実施の形態２では、空調冷熱機器２Ａ〜２Ｄを、任意の組み合わせで、２以上のグループにグループ分けしてもよい。その場合、第１制御情報が格納された第１データテーブル５０はグループごとに設けるようにする。また、その場合、空調冷熱機器管理装置１Ａ、１Ｂは、各グループに対して１つずつ設置される。その場合、各グループに対して設けられた空調冷熱機器管理装置１Ａ、１Ｂのそれぞれの設定入力部１０１に対して、利用者は、第１データテーブル５０の通知情報の送信先の情報を変更する変更入力を行うことができる。変更入力があった場合、当該変更入力に基づいて第１データテーブルの通知情報の送信先の情報が更新される。このように、本実施の形態２では、グループごとに、第１データテーブル５０の通知情報の送信先の情報を、グループごと、且つ、故障レベルごとに、変更することができる。
【００７７】
［実施の形態２のまとめ］
以上説明したように、本実施の形態２に係る空調冷熱機器管理装置によれば、利用者が、建物の重要度に応じて、通知情報の受信の要否を任意で決めることができる。そのため、利用者にとって必要な重要度の故障のみを知ることができる。それにより、利用者が受信する通知情報の個数を低減することができる。その結果、利用者が、重要度の高い故障を通知する通知情報を見落とすことが防止できる。また、利用者の通知情報の確認のための作業負荷を低減することができ、保守管理を容易にすることができる。
【００７８】
以下、上述した実施の形態１および実施の形態２に係る空調冷熱機器管理装置１Ａ、１Ｂのハードウェア構成について説明する。
【００７９】
上述した実施の形態１および実施の形態２に係る空調冷熱機器管理装置１Ａ、１Ｂにおける設定入力部１０１、通信部１０３、および、送信先決定部１０４の各機能は、処理回路によって実現される。各機能を実現する処理回路は、専用のハードウェアであってもよく、メモリに格納されるプログラムを実行するプロセッサであってもよい。
【００８０】
処理回路が専用のハードウェアである場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。設定入力部１０１、通信部１０３、および、送信先決定部１０４の各部の機能それぞれを個別の処理回路で実現してもよいし、各部の機能をまとめて１つの処理回路で実現してもよい。
【００８１】
一方、処理回路がプロセッサの場合、設定入力部１０１、通信部１０３、および、送信先決定部１０４の各部の機能は、ソフトウェア、ファームウェア、またはソフトウェアとファームウェアとの組み合わせにより実現される。ソフトウェアおよびファームウェアは、プログラムとして記述され、メモリに格納される。プロセッサは、メモリに記憶されたプログラムを読み出して実行することにより、各部の機能を実現する。すなわち、空調冷熱機器管理装置１Ａ、１Ｂは、処理回路により実行されるときに、設定入力ステップ、通信ステップ、および、送信先決定ステップが結果的に実行されることになるプログラムを格納するためのメモリを備える。
【００８２】
これらのプログラムは、上述した各部の手順あるいは方法をコンピュータに実行させるものであるともいえる。ここで、メモリとは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の、不揮発性または揮発性の半導体メモリが該当する。また、磁気ディスク、フレキシブルディスク、光ディスク、コンパクトディスク、ミニディスク、ＤＶＤ等も、メモリに該当する。記憶部１０２は、メモリから構成される。
【００８３】
なお、上述した各部の機能について、一部を専用のハードウェアで実現し、一部をソフトウェアまたはファームウェアで実現するようにしてもよい。
【００８４】
このように、処理回路は、ハードウェア、ソフトウェア、ファームウェア、またはこれらの組み合わせによって、上述した各部の機能を実現することができる。
【００８５】
なお、上記の実施の形態１および実施の形態２では、図５のステップＳ２および図６のステップＳ７で、空調冷熱機器２Ａが、故障レベルを決定するとして説明したが、これに限定されない。すなわち、故障レベルの決定は、空調冷熱機器２Ａ〜２Ｄ側で行わずに、空調冷熱機器管理装置１Ａ、１Ｂ側で行ってもよい。その場合には、故障が発生した場合に、空調冷熱機器２Ａ〜２Ｄが、故障の種別を求めて、空調冷熱機器管理装置１Ａ、１Ｂに対して、故障の種別を示す信号を送信するようにする。空調冷熱機器管理装置１Ａ、１Ｂは、空調冷熱機器２Ａ〜２Ｄから、故障の種別を示す信号を受信したときに、記憶部１０２に格納されている第２データテーブル６０Ａ〜６０Ｄを参照して、故障レベルを決定する。
【００８６】
また、上記の実施の形態１および実施の形態２では、建物Ａまたは建物Ｂに設置されている機器として、空調冷熱機器を例に挙げて説明したが、実施の形態１および実施の形態２は、それに限定されない。すなわち、実施の形態１および実施の形態２に係る空調冷熱機器管理装置１Ａ、１Ｂのそれぞれは、空調冷熱機器の管理に限らず、建物内に設置されたあらゆる種別の機器の管理に適用可能であり、その場合においても、同様の効果が得られることは言うまでもない。
【符号の説明】
【００８７】
１Ａ  空調冷熱機器管理装置、１Ｂ  空調冷熱機器管理装置、２Ａ  空調冷熱機器、２Ｂ  空調冷熱機器、２Ｃ  空調冷熱機器、２Ｄ  空調冷熱機器、３Ａ  通信線、３Ｂ  通信線、４  ネットワーク、５Ａ  第１の情報端末、５Ｂ  第１の情報端末、６Ａ  第２の情報端末、６Ｂ  第２の情報端末、７  第３の情報端末、２０Ａ  記憶装置、２０Ｂ  記憶装置、２０Ｃ  記憶装置、２０Ｄ  記憶装置、５０，５０Ａ，５０Ｂ  第１データテーブル、６０，６０Ａ，６０Ｂ，６０Ｃ，６０Ｄ  第２データテーブル、７０，７０Ｂ  入力画面、１０１  設定入力部、１０２  記憶部、１０３  通信部、１０４  送信先決定部、１０５  表示部。
【図１】
2020245933.tif 000003
【図２】
2020245933.tif 000004
【図３】
2020245933.tif 000005
【図４】
2020245933.tif 000006
【図５】
2020245933.tif 000007
【図６】
2020245933.tif 000008
【図７】
2020245933.tif 000009
【図８】
2020245933.tif 000010
【図９】
2020245933.tif 000011
【図１０】
2020245933.tif 000012
【図１１】
2020245933.tif 000013
【手続補正書】
【提出日】令和3年6月25日(2021.6.25)
【手続補正１】
【補正対象書類名】明細書
【補正対象項目名】０００７
【補正方法】変更
【補正の内容】
【０００７】
本発明に係る空調冷熱機器管理装置は、空調冷熱機器の故障を通知する通知情報の送信先の決定に用いる制御情報が入力されて、前記制御情報の設定を行う設定入力部と、前記設定入力部で設定された前記制御情報を記憶する記憶部と、前記空調冷熱機器から故障の情報を受信するとともに、前記故障を通知する前記通知情報を送信する通信部と、前記通信部が受信した前記故障の情報に基づいた故障レベルに応じて、前記制御情報に従って前記通知情報の前記送信先を決定する送信先決定部とを備え、前記通信部は、前記空調冷熱機器から前記故障の情報を受信したときに、前記送信先決定部が決定した前記送信先に対して前記通知情報を送信し、前記制御情報は、前記故障の故障レベルと前記通知情報の送信先との対応関係を定めた第１制御情報であり、前記空調冷熱機器の台数は２以上であり、前記空調冷熱機器は、２以上のグループにグループ分けされており、前記第１制御情報は、前記空調冷熱機器のグループごとに設けられており、前記設定入力部は、前記第１制御情報の前記通知情報の送信先を、前記空調冷熱機器のグループごとに、且つ、故障レベルごとに変更する変更入力を受け付けて、前記変更入力に基づいて、前記記憶部に記憶された前記第１制御情報の前記通知情報の送信先を更新する。
【手続補正２】
【補正対象書類名】特許請求の範囲
【補正対象項目名】全文
【補正方法】変更
【補正の内容】
【特許請求の範囲】
【請求項１】
空調冷熱機器の故障を通知する通知情報の送信先の決定に用いる制御情報が入力されて、前記制御情報の設定を行う設定入力部と、
前記設定入力部で設定された前記制御情報を記憶する記憶部と、
前記空調冷熱機器から故障の情報を受信するとともに、前記故障を通知する前記通知情報を送信する通信部と、
前記通信部が受信した前記故障の情報に基づいた故障レベルに応じて、前記制御情報に従って前記通知情報の前記送信先を決定する送信先決定部と
を備え、
前記通信部は、前記空調冷熱機器から前記故障の情報を受信したときに、前記送信先決定部が決定した前記送信先に対して前記通知情報を送信し、
前記制御情報は、前記故障の故障レベルと前記通知情報の送信先との対応関係を定めた第１制御情報であり、
前記空調冷熱機器の台数は２以上であり、
前記空調冷熱機器は、２以上のグループにグループ分けされており、
前記第１制御情報は、前記空調冷熱機器のグループごとに設けられており、
前記設定入力部は、
前記第１制御情報の前記通知情報の送信先を、前記空調冷熱機器のグループごとに、且つ、故障レベルごとに変更する変更入力を受け付けて、前記変更入力に基づいて、前記記憶部に記憶された前記第１制御情報の前記通知情報の送信先を更新する、
空調冷熱機器管理装置。
【請求項２】
前記制御情報は、前記故障の種別と前記故障の故障レベルとの対応関係を定めた第２制御情報を含み、
前記通信部は、前記第２制御情報を前記空調冷熱機器に送信し、前記空調冷熱機器から前記第２制御情報に基づいて送信される故障レベルを含む前記故障の情報を受信し、
前記送信先決定部は、前記通信部が受信した前記空調冷熱機器からの前記故障レベルに基づいて、前記第１制御情報に従って、前記通知情報の送信先を決定する、
請求項１に記載の空調冷熱機器管理装置。
【請求項３】
前記制御情報は、前記故障の種別と前記故障の故障レベルとの対応関係を定めた第２制御情報を含み、
前記通信部は、故障の種別を含む前記故障の情報を前記空調冷熱機器から受信し、
前記送信先決定部は、前記通信部が受信した前記空調冷熱機器からの前記故障の種別に基づいて、前記記憶部に記憶された前記第２制御情報を用いて、前記故障の故障レベルを決定し、決定した前記故障レベルに基づいて、前記記憶部に記憶された前記第１制御情報を用いて、前記通知情報の送信先を決定する、
請求項１に記載の空調冷熱機器管理装置。
【請求項４】
前記設定入力部は、
前記第２制御情報の前記故障レベルを、前記故障の種別ごとに変更する変更入力を受け付けて、前記変更入力に基づいて、前記第２制御情報の前記故障レベルを更新する、
請求項２または３に記載の空調冷熱機器管理装置。
【請求項５】
前記空調冷熱機器の台数は２以上であり、
前記第２制御情報は、前記空調冷熱機器ごとに設けられており、
前記設定入力部は、
前記第２制御情報の前記故障レベルを、前記空調冷熱機器ごとに、且つ、前記故障の種別ごとに変更する変更入力を受け付けて、前記変更入力に基づいて、前記記憶部に記憶された前記第２制御情報の前記故障レベルを更新する、
請求項２または３に記載の空調冷熱機器管理装置。
【請求項６】
前記第１制御情報は、第１データテーブルに格納され、
前記第２制御情報は、第２データテーブルに格納され、
前記第２データテーブルの各故障レベルは、前記第１データテーブルの各故障レベルに対応している、
請求項３または４に記載の空調冷熱機器管理装置。
【請求項７】
前記第２制御情報の故障の種別は、通信異常、室内湿度センサー異常、室内温度センサー異常、室内湿度異常、および、室内温度異常を含む、
請求項６に記載の空調冷熱機器管理装置。
【請求項８】
表示部をさらに備え、
前記設定入力部が、前記第２制御情報の前記故障レベルを変更する変更入力を受け付けたときに、前記表示部は、前記変更入力に基づいて、前記故障の種別ごとに、変更前の故障レベルと、変更後の故障レベルが入力される入力欄と、が表示された入力画面を表示する、
請求項６または７に記載の空調冷熱機器管理装置。
【請求項９】
前記表示部の前記入力画面において、前記入力画面に表示された前記故障の種別の中から、前記故障レベルを変更する故障の種別が選択され、且つ、選択された前記故障の種別に対応する前記入力欄に対して変更後の故障レベルが入力されたときに、前記設定入力部は、前記第２データテーブルに格納されている前記故障レベルを、入力された前記変更後の故障レベルに変更する、
請求項８に記載の空調冷熱機器管理装置。
【国際調査報告】
2020245933.tif 000014
2020245933.tif 000015